(57)【要約】【課題】  従来の液晶保護フィルムでは、サーカディアンリズムに影響を与える波長の光（例えばブルーライト）を常時抑制するために、その光を浴びた方がサーカディアンリズムを保つために都合がよい時間も浴びることができないという問題点を解消できる映像表示装置を得る。【解決手段】  サーカディアンリズムに影響を与える波長帯の光の透過率が電圧印加により変化する調光フィルタを設け、使用者の非活動時間を含む一定の時間帯に前記調光フィルムの透過率が低くなるように、それ以外の時間帯には高くなるように、前記調光フィルムへ電圧を印加するようにした。【選択図】          図１
2015072398.tif 000002
【特許請求の範囲】
【請求項１】
映像表示に用いる光源、
前記光源の前面側に配置され、サーカディアンリズムに影響を与える波長帯の光の透過率が電圧印加の有無により変化する調光フィルム、
および使用者の非活動時間を含むように定めた時間帯に前記調光フィルムの透過率が、それ以外の時間帯に比較して低くなるように、前記調光フィルムへ電圧を印加する制御部を備えた映像表示装置。
【請求項２】
前記光源の光から映像を構成する液晶セル部をさらに備えた請求項１に記載の映像表示装置。
【請求項３】
前記光源からの光に対して作用する光学シートをさらに備え、
前記調光フィルムを前記光源と前記光学シートの間に配置することを特徴とする請求項１〜請求項２のいずれかに記載の映像表示装置。
【請求項４】
前記光源からの光に対して作用する光学シートをさらに備え、
前記光学シートを前記調光フィルムと前記光源の間に配置することを特徴とする請求項１〜請求項２のいずれかに記載の映像表示装置。
【発明の詳細な説明】
【技術分野】
【０００１】
本発明は、映像表示装置の構成に関するものである。
【背景技術】
【０００２】
映像表示装置（例えば液晶表示装置）については、映像表示画面から放出する可視光線の光量が増加し画面が見やすくなったが、その分人間の眼球の奥にある網膜に達する光の強さも強くなり、眼の疲れが問題となる場合が出るという課題があったとして、可視光線の波長帯のうち、ブルーライトを選択的に抑制し、眼に負担をかける波長の光を低減させて、眼の負担を軽くする液晶保護フィルムを液晶画面に貼りつけることで課題を解決する方法が提案されている（例えば、特許文献１参照）。
【先行技術文献】
【特許文献】
【０００３】
【特許文献１】実用新案登録第３１７５７７１号（第３頁、２９行〜３０行、図２）
【発明の概要】
【発明が解決しようとする課題】
【０００４】
ブルーライトのようなサーカディアンリズムに影響を与える波長帯の光は、脳を覚醒し、活動的にする効果がある。そのため就寝前にブルーライトを浴びると睡眠に入りにくくなるが、日中にブルーライトを浴びるとサーカディアンリズムを保つためには都合がよいことが知られている。特許文献１のような映像表示装置は、上記のように構成されていたので、液晶保護フィルムがブルーライトを常時抑制するために、ブルーライトを浴びることができなくなり、サーカディアンリズムを保つという目的のためには都合が悪いという問題点があった。
【０００５】
この発明は、上述のような課題を解決するためになされたもので、サーカディアンリズムに影響を与える波長帯の光に関して、サーカディアンリズムを保ちやすいように浴びる光の量を調整可能な映像表示装置を得ることを目的とする
【課題を解決するための手段】
【０００６】
この発明に係る映像表示装置においては、サーカディアンリズムに影響を与える波長帯の光の透過率が電圧印加により変化する調光フィルタを設け、使用者の非活動時間を含むように定めた時間帯に前記調光フィルムの透過率が、それ以外の時間帯に比較して低くなるように、前記調光フィルムへ電圧を印加するものである。
【発明の効果】
【０００７】
この発明は、サーカディアンリズムに影響を与える波長帯の光（例えばブルーライト）を、サーカディアンリズムを保つために必要な時間帯は多く透過させ、そうでない時間帯は抑制するようにしたので、サーカディアンリズムを保ちやすい映像表示装置を得ることができる。
【図面の簡単な説明】
【０００８】
【図１】この発明の実施の形態１に係る映像表示装置の図である。
【図２】この発明の実施の形態１に係る映像表示装置内の液晶セル部の図である。
【図３】この発明の実施の形態１に係る映像表示装置内の調光フィルタの図である。
【図４】この発明の実施の形態１に係る映像表示装置内の制御部の出力電圧の例である。
【図５】この発明の実施の形態１に係る映像表示装置の別の例の図である。
【図６】この発明の実施の形態２に係る映像表示装置の図である。
【発明を実施するための形態】
【０００９】
実施の形態１．
図１は、本発明に係る実施の形態１の映像表示装置１００の断面を模式的に示した構成図である。
【００１０】
図１は映像表示装置１００の表示画面を上向きにした図である。図の説明を容易にするためにＸＹＺ座標を用いて説明する。一般的な横長の表示画面の場合に、表示画面の上方向を＋Ｙ軸、横方向をＸ軸とし、＋Ｚ軸方向に映像を表示する。表示画面の背面は−Ｚ方向となる。以下、映像表示装置の表示画面を単に「画面」といい、画面を基準に、＋Ｚ軸方向を「前面側」−Ｚ軸方向を「背面側」という。
【００１１】
筐体１の内側に、バックライト部２、液晶セル部３を具備する。液晶セル部３は、バックライト部２よりも前面側に位置する。
【００１２】
バックライト部２は、発光ダイオード（ＬＥＤ：Ｌｉｇｈｔ  Ｅｍｉｔｔｉｎｇ  Ｄｉｏｄｅ）であるＬＥＤ５、導光板７、反射型偏光フィルム１０及び調光フィルム１７を有する。ＬＥＤ５は、液晶セル部３を照明する照明光を発するものである。ＬＥＤ５は、導光板７へ向けて光を出射する。導光板７はＬＥＤ５の光を導光板７の表面に出光するものである。
【００１３】
また、バックライト部２は、画面を明るく鮮明にするために、反射シート６、拡散フィルム８及び輝度上昇フィルム９を有する。反射シート６は、バックライト部２において最も背面側に位置する。導光板７は、反射シート６よりも前面側に位置する。反射シート６は、導光板７から背面側に出てしまう光を前面側に反射することにより、光を前面側に集める機能を有する。なお、反射シート６、拡散フィルム８及び輝度上昇フィルム９は映像表示装置１００から省くことができる。
【００１４】
拡散フィルム８は、導光板７及び調光フィルム１７よりも前面側に位置する。拡散フィルム８は、透過する光を拡散し均一化するという機能を有する。輝度上昇フィルム９は、拡散フィルム８よりも前面側に位置する。反射型偏光フィルム１０は、輝度上昇フィルム９よりも前面側に位置する。
【００１５】
ＬＥＤの配置方法については色々な方法が開示されているが、ここではサイドエッジ方式を例に説明を行う。「サイドエッジ方式」とは、透明素材の導光板の側面にＬＥＤが配置され、ＬＥＤの発する光線が導光板の内部を、反射を繰り返しながら誘導され導光板の表面に出光する方式である。サイドエッジ方式は、エッジライト方式、サイドライト方式又は導光板方式とも呼ばれる。
【００１６】
サイドエッジ方式では、複数のＬＥＤ５を導光板７の側面に対向して配置する。ここでは図示していないが、ＬＥＤ５は熱拡散作用を有する金属製の支持部材などで、筐体１に固定されている。「熱拡散作用」とは熱が高温領域から低温領域に拡散する現象をいう。ＬＥＤ５を金属製の支持部材を用いて筐体１に固定することで、光源からの熱を効率よく放熱するという効果を有する。
【００１７】
近年、青色ＬＥＤの性能が飛躍的に向上した。これに伴い、バックライト部２などに、青色ＬＥＤ素子を利用した白色ＬＥＤが広く採用されている。白色ＬＥＤは、ＩｎＧａＮなどを用いた青色のＬＥＤ素子に黄色の蛍光体を塗布したものである。黄色の蛍光体は、青色のＬＥＤ素子の発する青色の光を吸収して黄色の光を発する。黄色は緑色と赤色とを含む色であり、青色の補色であるため、白色ＬＥＤは白い光を発する。
【００１８】
ＩｎＧａＮを用いた青色ＬＥＤは、４６０ｎｍ付近にピーク波長を持つ。青色の光の一部は黄色蛍光体に吸収されるが、一部は蛍光体を透過し、そのまま青色成分の光として、白色ＬＥＤから出力される。そのため、白色ＬＥＤから出射される青色成分は４６０ｎｍ付近にピーク強度を持つ光となる。その結果、白色ＬＥＤからは青色成分の光に含まれる所謂ブルーライトが多く放出される傾向にある。
【００１９】
ＬＥＤ５は、導光板７の側面に対向して配置され、ＬＥＤ５から出射された光は導光板７の側面から入射する。導光板７は側面のＬＥＤ５から入射した光を面状の光に変換する。つまり、背面側に配置されたプリズム構造を用いて、側面から入射した「線状の光」を「面状の光」に変換し、面光源として光を主に前面側に出射する。なお、「面光源」とは、面から光を発する光源を意味する。
【００２０】
一般に、界面では光線が反射、屈折、散乱、吸収を起こす。界面での光線の反射を界面反射と言う。界面反射などで一部の光は導光板７から背面側に出射する。反射シート６は光を反射し、前面側に光の進行方向を向け直す。反射シート６は、光を反射させて前面側に集めるという機能を有する。
【００２１】
導光板７から前面側に出射された光は、調光フィルム１７に入射する。調光フィルム１７は、電圧が印加されることにより特定の波長帯の光の透過量が変化するものである。
【００２２】
調光フィルム１７から前面側に出射された光は、拡散フィルム８、輝度上昇フィルム９及び反射型偏光フィルム１０を透過して、液晶セル部３に入射する。輝度上昇フィルム９は導光板７の前面側に位置する。輝度上昇フィルム９は、光源から照射された光を集光し、前面側での輝度を上昇させるものである。「前面側での輝度を上昇させる」とは、拡散フィルム８で拡散した光の進行方向を輝度上昇フィルム９面に垂直な方向（＋Ｚ軸方向）に向けることである。
【００２３】
輝度上昇フィルム９を透過した光は、反射型偏光フィルム１０に入る。反射型偏光フィルム１０は決められた偏光方向の光のみを透過し、残りの光は反射する。反射型偏光フィルム１０で反射した光は、バックライト部２の内部で反射を繰り返し、その後偏光方向が変化して、反射型偏光フィルム１０を透過する。
【００２４】
図２は液晶セル部３の構成図である。液晶セル部３は、偏光板１１ａ、１１ｂ、ガラス板１２ａ、１２ｂ、配向膜１６ａ、１６ｂ、透明電極１３、液晶層１４及びカラーフィルタ１５を有する。
【００２５】
液晶セル部３において、背面側から前面側に向かって、偏光版１１ａ、ガラス板１２ａ、配向膜１６ａ、液晶層１４、配向膜１６ｂ、カラーフィルタ１５、ガラス板１２ｂ、偏光板１１ｂの順番で配置される。透明電極１３は、配向膜１６ａの層に位置する。
【００２６】
配向膜１６は、溝を刻んだ膜である。配向膜１６に液晶層１４の液晶分子を接触させると、液晶分子は溝に沿って並び方を変える。配向膜１６ａと配向膜１６ｂとの溝の向きが９０度異なるように配置して液晶層１４を挟むと、液晶層１４の液晶分子は９０度ねじれて配列する。
【００２７】
透明電極１３は、液晶層１４に電圧をかける。また、透明電極１３は、ガラスと同様に透明な材料で作製されているので光を通す。なお、透明電極１３は、それ自体が透明でなくても、例えば電極の幅が大変細いため、光の通過を阻害しないようになっている。
【００２８】
偏光板１１ａの偏光方向は、偏光板１１ｂの偏光方向に対して９０度回転している。偏光板１１ａの偏光方向がＸ軸方向の場合には、偏光板１１ｂの偏光方向はＹ軸方向となる。なお、「偏光板」とは、特定方向に偏光した光に限って透過させる板である。ここで、「Ｘ軸方向に偏光」とは、水平偏光である。「Ｙ軸方向に偏光」とは、垂直偏光である。
【００２９】
反射型偏光フィルム１０は、偏光板１１ａと同じ偏光方向の光を透過させる。つまり、反射型偏光フィルム１０の偏光方向は、偏光板１１ａの偏光方向と同じ方向である。反射型偏光フィルム１０は、バックライト部２の内部に配置されている。偏光板１１ａが水平偏光であるならば、反射型偏光フィルム１０も水平偏光である。以下、偏光板１１ａは水平偏光であるとして説明する。バックライト部２の内部の反射型偏光フィルム１０を透過した光は偏光板１１ａも透過する。
【００３０】
偏光板１１ａを透過した光は、液晶層１４の配向に沿って進む。
【００３１】
まず、液晶セル部３がＴＮ型（Ｔｗｉｓｔｅｄ  Ｎｅｍａｔｉｃ  ｍｏｄｅ、ねじれネマティック型）液晶である場合について示す。ＴＮ型液晶は、電圧が無印加の状態で液晶分子の配向を９０度ねじれるように配列するものである。
【００３２】
透明電極１３に電圧が印加されていない場合には、液晶層１４の液晶分子は偏光板１１ｂの偏光方向に対して９０度回転した状態になっている。つまり、液晶分子は水平方向（Ｘ軸方向）から垂直方向（Ｙ軸方向）に９０度回転した状態になっている。液晶層１４の配向に沿って進んだ光は、液晶層１４内を進むにつれて偏光方向が９０度回転される。このため、液晶層１４の配向に沿って進んだ光は偏光板１１ｂを透過することができる。
【００３３】
一方、透明電極１３に電圧が印加されている場合には、液晶層１４の液晶分子と光との間のねじれがとれる。つまり、液晶層１４の液晶分子が９０度回転した状態ではなくなるため液晶層１４の配向に沿って進んだ光は、液晶層１４内を進んでも偏光方向の９０度回転をしない。このため、光は９０度回転して配された偏光板１１ｂを透過することができない。
【００３４】
次に、液晶セル部３がＶＡ型（Ｖｅｒｔｉｃａｌ  Ａｌｉｇｎｍｅｎｔ  ｍｏｄｅ、垂直配向型）液晶である場合について示す。ＶＡ型液晶は、負の誘電率を持った液晶分子と垂直配向膜とを組み合わせることにより、電圧が無印加の状態で、液晶分子が前面側の偏光板１１ｂに対して垂直（Ｚ軸方向）に配置されるものである。
【００３５】
透明電極１３に電圧が印加されていない場合には、液晶層１４の液晶分子は配向膜１６ａ、１６ｂに対して垂直に配列する。このとき、入射された光は、液晶分子の投影面積の小さい部分にしかあたらないため、光の振動方向はほとんど変化しない。このため、光は液晶層１４内をそのまま進んでいくが偏光板１１ｂを透過することができない。つまり、光は振動方向を変えずに液晶層１４内を進行して偏光板１１ｂに到達するが、偏光板１１ａに対して偏光方向が９０度異なる偏光板１１ｂを透過することができない。
【００３６】
一方、透明電極１３に電圧が印加されている場合、液晶層１４の液晶分子は横向きになり、配向膜１６ａ、１６ｂと平行な方向に配列する。その結果、光に対する液晶分子の投影面積が大きくなり、液晶の複屈折の影響により光の振動方向が変化する。このため、光は偏光板１１ａに対して偏光方向が９０度異なる偏光板１１ｂを透過することができる。
【００３７】
なお、図２に示す液晶セル部３にＩＰＳ型液晶又はＯＣＢ型液晶などを用いても良い。ＩＰＳ型液晶は、透明電極１３が液晶層１４の片側だけに配置され、電圧の印加の有無により液晶分子の並びが画面に対して平行に回転することが特徴である。ＯＣＢ型液晶は、電圧を印加していないときに液晶分子が弓状に並んでいることが特徴である。
【００３８】
次に、調光フィルム１７について詳しく説明する。調光フィルム１７は、電圧の印加により光の透過量を変化させるものである。調光フィルム１７には、エレクトロクロミックフィルムを採用することができる。
【００３９】
エレクトロクロミックフィルムは、電圧の印加による電気化学的な物質の酸化還元反応で色が変化する特性を利用したものである。酸化タングステン（ＷＯ３）のような無機材や、有機／金属ハイブリットポリマーなどがエレクトロミック特性を有することが知られている。
【００４０】
図３は、エレクトロクロミックフィルムを用いた調光フィルム１７の構造の一例を示したものである。エレクトロクロミックフィルムは、エレクトロクロミック層３４の＋Ｚ軸方向に電解質層３３が配置され、両者を透明電極膜３１ａおよび透明電極膜３１ｂで挟み込んだ構造になっている。さらに透明電極膜３１ａと透明電極膜３１ｂとは、背面側（−Ｚ軸方向）の保護フィルム３２ａと前面側（＋Ｚ軸方向）の保護フィルム３２ｂとにより挟まれている。
【００４１】
この調光フィルム１７は、電圧が印加可能な透明電極膜３１ａ、３１ｂを備える。透明電極膜３１ａ、３１ｂは透明電極１３と同様に光を通す。
【００４２】
保護フィルム３２ａ、３２ｂは、調光フィルム１７の内部を電気的におよび物理的に保護する目的のものである。電気的な保護として透明で絶縁性を有する樹脂やガラスなどを保護フィルム３２ａ、３２ｂに用いる。樹脂やガラスは外部からの圧力に対する保護又は水分の浸入を防止することなどの物理的な保護の役割もある。制御部３５は透明電極膜３１ａ、３１ｂに電圧を印加する。
【００４３】
ここでエレクトロクロミック層３４に用いる物質として、有機／金属ハイブリットポリマー物質を用いた場合について説明する。
【００４４】
有機／金属ハイブリットポリマーは、ポリマー中の金属イオンの電気化学的酸化還元によりエレクトロクロミック特性を示す。このとき、金属イオンと有機モジュールのバンドキャップにより色が決まるため、酸化タングステンなどの無機材料を用いた場合と異なり様々な色を作ることが出来る。例えばＦｅ系材料を用いると青色、Ｃｏ系材料を用いると黄色、Ｒｕ系材料を用いると赤色系の発色が得られることが知られている。
【００４５】
エレクトロクロミック層３４に有機／金属ハイブリットポリマーを用いた場合、透明電極膜３１ａ、３１ｂ間に電圧を印加していない状態では発色し、電圧を印加すると消色する。
【００４６】
エレクトロクロミック層３４にＣｏ系材料の有機／金属ハイブリットポリマーを用いた場合、透明電極膜３１ａ、３１ｂ間に電圧を印加している状態では、調光フィルム１７は導光板７から出力された光をそのまま透過することになる。一方、透明電極膜３１ａ、３１ｂ間に電圧を印加していない状態では、調光フィルム１７は自然光の下で黄色を呈する。これはＣｏ系材料で構成されたエレクトロクロミック層３４が青色成分の光を吸収するからである。つまり透明電極膜３１ａ、３１ｂ間に電圧を印加していない状態では調光フィルム１７は青色の波長帯域の光のみ選択的に抑制し、映像表示装置１００はブルーライトの曝露が少ない状態で映像表示することができる。
【００４７】
図４は制御部３５が印加する電圧の時間帯に対する遷移の例を示したものである。映像ＯＦＦ時、制御部３５は時間帯に関係なく透明電極膜３１ａ、３１ｂ間に電圧を印加しない。そのため映像ＯＦＦ時には、調光フィルム１７は着色状態になり、エレクトロクロミック層３４にＣｏ系材料からなる有機／金属ハイブリットポリマーを用いた場合には黄色を発色する。
【００４８】
一方、映像表示時には、制御部３５は時間帯によって調光フィルム１７の透過状態を変化させる。具体的には調光フィルム１７に電圧を印加して、調光フィルム１７を透過状態に保つ。
【００４９】
しかし、例えば２２時から朝６時までは、映像表示時でも調光フィルム１７には電圧を印加しない。これにより、表示映像は若干黄色がかっているが、いわゆるブルーライトの曝露が少ない状態で、映像を鑑賞することになる。ブルーライトは睡眠に関係が深いメラトニンの生成を抑制する働きがあるが、２２時以降にブルーライトの曝露が少ないことで、睡眠を妨げる可能性を減らすことができる。
【００５０】
一方、朝６時以降、調光フィルム１７は消色状態になる。そのため白色ＬＥＤが放出するブルーライトをたくさん浴びることができる。よって、外光入射の少ない部屋や、曇天の日においても日中ブルーライトをたくさん浴びることが出来るため、覚醒を促し、サーカディアンリズムを保つことを可能にする。
【００５１】
なお、人によって生活リズムは異なるため、各人の活動時と就寝時を考慮して、調光フィルム１７に電圧を印加する時間帯を設定により変更することで、各人のサーカディアンリズムを保つことが可能になる。
【００５２】
サーカディアンリズムに影響を与える波長帯の光を遮蔽することにより、映像全体の輝度は多少低下する。ブルーライトなどの波長帯の光を常時遮蔽すると、輝度が常時低下していることになり、低下前と同等の輝度を保つために光源の光量を増やすと余分にエネルギーを消費してしまう。
【００５３】
一方、本発明のように、日中はブルーライトなどの波長帯の光を遮蔽しないため本来の光量を確保でき、また就寝時にブルーライトなどの波長帯の光を遮蔽した場合でも日中と異なり周囲が暗くなっていることが想定されるため、あえて本来の光量を確保せずに輝度低下状態のままでも問題ないことも考えられる。この場合、本発明では従来例と比較し、余分にエネルギーを消費しなくて済むという効果もある。
【００５４】
映像表示装置内に拡散フィルム８や反射型偏光フィルム１０のような光を透過させる他の光学シートを使用する場合、他の光学シートの後に調光フィルム１７を配置すると、他の光学シートで拡散や偏光した光が調光フィルム１７で乱されてしまい、想定していた光の特性を得られなくなることがある。そのため、調光フィルム１７を光源に最も近い位置に配置する方法が有効である。
【００５５】
以上のように、調光フィルム１７を他の光学シートの内側に配置することで、他の光学シートの特性を妨げることなく特定の波長帯の光の透過率を変化させることができる。
【００５６】
なお、以上のように本発明の実施の形態について説明したが、本発明はこれらの実施の形態に限るものではない。
【００５７】
例えば、エレクトロクロミック層に用いる物質はＣｏ系の有機／金属ハイブリットポリマーに限ったものではなく、ブルーライトを吸収することができる他の有機系クロミック材料などを用いてもよい。さらに、ブルーライト以外でもサーカディアンリズムに影響を与える波長帯の光を遮蔽する物質でもよい。
【００５８】
液晶を用いた映像表示装置を例に、本発明の動作の説明を行ったが、装置内部に光源を備えた映像表示装置であれば液晶以外の表示装置にも、本発明は適用できる。
【００５９】
例えば、有機ＥＬテレビのように光源と色を構成する機能が一体となった映像表示装置の場合でも、光源の前面側に調光フィルムを置くことで、特定の波長帯の光の透過率を変化させることが可能である。さらにはプロジェクターのような投射型の映像表示装置においても、光源の前面側に調光フィルムを置くことで、同様の効果を得ることができる。
【００６０】
図５は本発明における実施の形態１の映像表示装置を示す別の構成図を示したものである。図１と異なる点は、図１のバックライト部２と液晶セル部３が、図５の発光部１８と変わったところである。発光部１８は、バックライト部２と液晶セル部３の２つの機能を持ち、光源でありながら色の構成も行う。動作については図１と同じため省略する。
【００６１】
実施の形態２．
図６は本発明における実施の形態２の映像表示装置を示す構成図を示したものである。図１に示す実施の形態１の構成図と異なる点は、調光フィルム１７の位置である。調光フィルム１７は反射型偏光フィルム１０ｂとともにスクリーン部４を形成し、液晶セル部３よりも前面側に位置する。つまり、背面側からバックライト部２、液晶セル部３そしてスクリーン部４の順に配置されている。
【００６２】
液晶セル部３を透過した光はスクリーン部４に入射する。スクリーン部４内で、反射型偏光フィルム１０ｂは、調光フィルム１７の背面側に配置されている。
【００６３】
反射型偏光フィルム１０ａは、バックライト部２の内部に配置されている。反射型偏光フィルム１０ａと反射型偏光フィルム１０ｂにおいて、透過可能な偏光方向は９０度回転している。液晶セル部３の前面側に位置する偏光板１１ｂと反射型偏光フィルム１０ｂの偏光方向は同じである。
【００６４】
液晶セル部３の表面は一般的に黒い。これは、表面に配置されている偏光板１１において、特定の偏光方向以外の光はヨウ素分子のような偏光素子で吸収されてしまうためである。そのため、液晶セル部３の表面に調光フィルム１７を直接配置すると、調光フィルム１７を透過した外光２２の一部が液晶セル部３の表面に配置されている偏光板１１ｂで吸収される。このため、調光フィルム１７は暗い黄色に見える。
【００６５】
しかし、調光フィルム１７と液晶セル部３との間に、反射型偏光フィルム１０ｂを配置すると、外光２２の一部は直進できず散乱する。また、調光フィルム１７を透過した外光２２の多くが反射型偏光フィルム１０ｂで反射される。この散乱と反射により調光フィルム１７は明るい黄色に見える。
【００６６】
大型の液晶ＴＶを室内に配置するときに問題となることの一つが、映像ＯＦＦ時の黒く大きな画面の威圧感である。
【００６７】
黄色は多くの壁で使用されるベージュ色の壁紙と色味が近いため、大きな画面の映像表示装置を部屋に配置する場合において、映像表示装置を使用していないときの存在感を減らすことが可能になる。なお、黄色以外の調光フィルム１７を用いることで、画面を他の色に見えるようにすることも可能である。
【００６８】
調光フィルム１７を光源の近くに配置できない場合には、調光フィルム１７を映像表示装置のもっとも前面側に配置することで、他の光学シートの特性を妨げることなくサーカディアンリズムに影響を与える波長帯の光の透過率を変化させることができる。
【符号の説明】
【００６９】
１  筐体、  ２  バックライト部、  ３  液晶セル部、  ４  スクリーン部、  ５  ＬＥＤ、  ６、  反射シート、  ７  導光板、  ８  拡散フィルム、  ９  輝度上昇フィルム、  １０  反射型偏光フィルム、  １１  偏光板、  １２  ガラス板、  １３  透明電極、  １４  液晶層、  １５  カラーフィルタ、  １６  配向膜、  １７  調光フィルム、  １８  発光層、  ３１  透明電極、  ３２  保護フィルム、  ３３  電解質、  ３４  エレクトロクロミック物質、  ３５  制御部、  １００  ２００  ３００  映像表示装置。
【図１】
2015072398.tif 000003
【図２】
2015072398.tif 000004
【図３】
2015072398.tif 000005
【図４】
2015072398.tif 000006
【図５】
2015072398.tif 000007
【図６】
2015072398.tif 000008